(57)【要約】【課題】意匠性を低下させることなく電磁弁などのメンテナンス作業が容易な点検口を設けることができるシャワー装置を提供する。【解決手段】内部に空間を有する筐体と、前記筐体の内部に配置され、湯水を導く導水配管部と、前記筐体の内部に配置され、前記導水配管部の途上に設けられた電磁弁と、前記筐体の外面に形成された開口部に配置され、前記導水配管部からの湯水を吐水する吐水部と、前記電磁弁の動作を操作可能な操作パネルと、を備え、前記筐体は、前記電磁弁を点検可能な点検口を外面に有し、前記操作パネルは、前記点検口を掩蔽するように着脱可能に取り付けられたことを特徴とするシャワー装置が提供される。【選択図】図３
2010172506.tif 000002
【特許請求の範囲】
【請求項１】
内部に空間を有する筐体と、
前記筐体の内部に配置され、湯水を導く導水配管部と、
前記筐体の内部に配置され、前記導水配管部の途上に設けられた電磁弁と、
前記筐体の外面に形成された開口部に配置され、前記導水配管部からの湯水を吐水する吐水部と、
前記電磁弁の動作を操作可能な操作パネルと、
を備え、
前記筐体は、前記電磁弁を点検可能な点検口を外面に有し、
前記操作パネルは、前記点検口を掩蔽するように着脱可能に取り付けられたことを特徴とするシャワー装置。
【請求項２】
前記電磁弁は、前記導水配管部に対して着脱可能に取り付けられ、前記点検口から挿脱可能であることを特徴とする請求項１記載のシャワー装置。
【請求項３】
前記電磁弁および前記操作パネルの少なくともいずれかに対して電力を供給する電源部をさらに備え、
前記電源部は、前記筐体の内部に着脱可能に取り付けられ、前記点検口から挿脱可能であることを特徴とする請求項１または２に記載のシャワー装置。
【請求項４】
前記操作パネルは、前記点検口に対して水密的に取り付けられたことを特徴とする請求項１〜３のいずれか１つに記載のシャワー装置。
【請求項５】
前記電磁弁と、前記導水配管部と、を締結する締結部材をさらに備えたことを特徴とする請求項１〜４のいずれか１つに記載のシャワー装置。
【請求項６】
前記締結部材と、前記筐体の内部の少なくとも一部と、に取り付けられ、前記締結部材が落下することを防止する紐をさらに備えたことを特徴とする請求項５記載のシャワー装置。
【請求項７】
前記筐体の内部には、複数の前記締結部材が配置され、
前記複数の締結部材の少なくともいずれかは、互いに１つの前記紐により数珠状に連結されたことを特徴とする請求項６記載のシャワー装置。
【請求項８】
前記締結部材は、弾性変形することにより前記導水配管部に対して着脱可能な係止部と、前記係止部から突出した取手部と、を有することを特徴とする請求項５〜７のいずれか１つに記載のシャワー装置。
【請求項９】
前記筐体の内部に配置され、前記導水配管部の途上に設けられた機能部品をさらに備え、
前記電磁弁および前記機能部品は、前記電磁弁および前記機能部品の上流側と下流側とにおいて前記導水配管部に対してそれぞれ着脱可能に取り付けられ、前記導水配管部の少なくとも一部と一体となった状態で前記点検口から挿脱可能であることを特徴とする請求項１記載のシャワー装置。
【発明の詳細な説明】
【技術分野】
【０００１】
本発明の態様は、一般的に、シャワー装置に関し、具体的には浴室などの壁面に埋め込まれるシャワー装置に関する。
【背景技術】
【０００２】
例えば、浴室などの壁面に埋め込まれるシャワー装置がある。このようなシャワー装置には、複数の水源の温度および圧力を制御可能なシステムがある（特許文献１）。特許文献１に記載された装置では、電磁弁は、壁内のハウジングに配置され、リモコンなどからの信号により制御されている。このような配管の途上に取り付けられた電磁弁については、一般的に、定期的なメンテナンス作業が必要である。
【０００３】
しかしながら、特許文献１に記載された装置では、ハウジングは、ねじなどにより壁の内部に固定されるため、電磁弁のメンテナンス作業の際には、そのねじなどを取り外してメンテナンス作業を行う必要がある。
【０００４】
これに対して、壁面に点検口が設けられたシャワー装置がある（特許文献２）。特許文献２に記載されたシャワー装置では、壁面に点検口が形成され、その点検口を隠す前面カバーが取り外し自在に設けられている。
【０００５】
しかしながら、点検口を隠す前面カバーが設けられているため、シャワー装置の意匠性が低下するという問題がある。また、その点検口の限られたスペースから電磁弁や配管などのメンテナンス作業を行うことについては、記載されていない。点検口から電磁弁などのメンテナンス作業を可能とするためには、電磁弁と点検口との位置を合わせたり、ある程度大きな開口を有する点検口を形成する必要がある。そのため、大きな前面カバーを設ける必要があり、シャワー装置の意匠性がさらに低下するという問題がある。
【先行技術文献】
【特許文献】
【０００６】
【特許文献１】米国特許第６６９１３３８号明細書
【特許文献２】実開平２−９８７９１号公報
【発明の概要】
【発明が解決しようとする課題】
【０００７】
本発明の態様は、かかる課題の認識に基づいてなされたものであり、意匠性を低下させることなく電磁弁などのメンテナンス作業が容易な点検口を設けることができるシャワー装置を提供する。
【課題を解決するための手段】
【０００８】
本発明の一態様によれば、内部に空間を有する筐体と、前記筐体の内部に配置され、湯水を導く導水配管部と、前記筐体の内部に配置され、前記導水配管部の途上に設けられた電磁弁と、前記筐体の外面に形成された開口部に配置され、前記導水配管部からの湯水を吐水する吐水部と、前記電磁弁の動作を操作可能な操作パネルと、を備え、前記筐体は、前記電磁弁を点検可能な点検口を外面に有し、前記操作パネルは、前記点検口を掩蔽するように着脱可能に取り付けられたことを特徴とするシャワー装置が提供される。
【発明の効果】
【０００９】
本発明の態様によれば、意匠性を低下させることなく電磁弁などのメンテナンス作業が容易な点検口を設けることができるシャワー装置が提供される。
【図面の簡単な説明】
【００１０】
【図１】本発明の実施の形態にかかるシャワー装置を備えた浴室を例示する斜視模式図である。
【図２】本発明の実施の形態にかかるシャワー装置を備えた浴室を例示する斜視模式図である。
【図３】本実施形態にかかるシャワー装置の一部を切断して内部を眺めた斜視模式図である。
【図４】本実施形態の操作パネルを取り外した状態を表す斜視模式図である。
【図５】本実施形態にかかるシャワー装置を表す斜視模式図である。
【図６】本実施形態にかかるシャワー装置を表す平面模式図である。
【図７】本実施形態にかかるシャワー装置の構成を例示するブロック図である。
【図８】本実施形態の操作パネルを拡大して眺めた斜視模式図である。
【図９】本実施形態の点検口から電磁弁ユニットを眺めた平面模式図である。
【図１０】本実施形態の点検口から電磁弁ユニットを取り出す状態を表す斜視模式図である。
【図１１】本実施形態の点検口から筐体の内部を拡大して眺めた斜視模式図である。
【図１２】本実施形態の締結部材４１０を表す平面模式図である。
【図１３】本実施形態にかかるシャワー装置を後側から眺めた斜視模式図である。
【図１４】本実施形態の操作パネル近傍を切断して筐体の内部を眺めた斜視模式図である。
【図１５】本実施形態の操作パネルを後側から眺めた斜視模式図である。
【発明を実施するための形態】
【００１１】
第１の発明は、内部に空間を有する筐体と、前記筐体の内部に配置され、湯水を導く導水配管部と、前記筐体の内部に配置され、前記導水配管部の途上に設けられた電磁弁と、前記筐体の外面に形成された開口部に配置され、前記導水配管部からの湯水を吐水する吐水部と、前記電磁弁の動作を操作可能な操作パネルと、を備え、前記筐体は、前記電磁弁を点検可能な点検口を外面に有し、前記操作パネルは、前記点検口を掩蔽するように着脱可能に取り付けられたことを特徴とするシャワー装置である。  
このシャワー装置によれば、操作パネルが取り付けられた状態では、点検口は、シャワー装置の外部には露出していない。すなわち、操作パネルが取り付けられた状態では、筐体の外部から点検口を見ることはできない。そのため、意匠性を低下させることなく電磁弁などのメンテナンス作業を行う点検口を設けることができる。
【００１２】
また、第２の発明は、第１の発明において、前記電磁弁は、前記導水配管部に対して着脱可能に取り付けられ、前記点検口から挿脱可能であることを特徴とするシャワー装置である。  
このシャワー装置によれば、電磁弁を筐体の外部に取り外した状態で、その電磁弁のメンテナンス作業を行うことができる。
【００１３】
また、第３の発明は、第１または第２の発明において、前記電磁弁および前記操作パネルの少なくともいずれかに対して電力を供給する電源部をさらに備え、前記電源部は、前記筐体の内部に着脱可能に取り付けられ、前記点検口から挿脱可能であることを特徴とするシャワー装置である。  
このシャワー装置によれば、電源部を筐体の外部に取り外した状態で、その電源部のメンテナンス作業を行うことができる。
【００１４】
また、第４の発明は、第１〜第３のいずれか１つの発明において、前記操作パネルは、前記点検口に対して水密的に取り付けられたことを特徴とするシャワー装置である。  
このシャワー装置によれば、点検口を通して筐体の内部に水が侵入することを防止することができる。
【００１５】
また、第５の発明は、第１〜第４のいずれか１つの発明において、前記電磁弁と、前記導水配管部と、を締結する締結部材をさらに備えたことを特徴とするシャワー装置である。  
このシャワー装置によれば、締結部材を取り外すことで、電磁弁を導水配管部から容易に取り外すことができる。また、締結部材を取り付けることで、電磁弁と導水配管部とを容易に接続し締結することができる。
【００１６】
また、第６の発明は、第５の発明において、前記締結部材と、前記筐体の内部の少なくとも一部と、に取り付けられ、前記締結部材が落下することを防止する紐をさらに備えたことを特徴とするシャワー装置である。  
このシャワー装置によれば、締結部材が筐体の内部に落下し、その締結部材を取り出せなくなることを防止することができる。
【００１７】
また、第７の発明は、第６の発明において、前記筐体の内部には、複数の前記締結部材が配置され、前記複数の締結部材の少なくともいずれかは、互いに１つの前記紐により数珠状に連結されたことを特徴とするシャワー装置である。  
このシャワー装置によれば、締結部材が筐体の内部に落下し、その締結部材を取り出せなくなることを防止することができる。さらに、複数の締結部材同士が絡み合うことを防止することができる。
【００１８】
また、第８の発明は、第５〜第７のいずれか１つの発明において、前記締結部材は、弾性変形することにより前記導水配管部に対して着脱可能な係止部と、前記係止部から突出した取手部と、を有することを特徴とするシャワー装置である。  
このシャワー装置によれば、電磁弁や電源部などが密集し、締結部材の係止部に手が届きにくい場合であっても、作業者などは、取手部を引くことにより、その締結部材を容易に取り外すことができる。そのため、電磁弁を点検口からより容易に取り外すことができる。
【００１９】
また、第９の発明は、第１の発明において、前記筐体の内部に配置され、前記導水配管部の途上に設けられた機能部品をさらに備え、前記電磁弁および前記機能部品は、前記電磁弁および前記機能部品の上流側と下流側とにおいて前記導水配管部に対してそれぞれ着脱可能に取り付けられ、前記導水配管部の少なくとも一部と一体となった状態で前記点検口から挿脱可能であることを特徴とするシャワー装置である。  
このシャワー装置によれば、電磁弁と、流調弁や温度センサなどの機能部品と、を１つのユニットとして点検口から取り出すことができる。そのため、電磁弁や流調弁や温度センサなどをまとめて点検口から取り出すことができる。
【００２０】
以下、本発明の実施の形態について図面を参照しつつ説明する。なお、各図面中、同様の構成要素には同一の符号を付して詳細な説明は適宜省略する。  
図１および図２は、本発明の実施の形態にかかるシャワー装置を備えた浴室を例示する斜視模式図である。  
なお、図２は、浴室の壁面の一部を省略し、本実施形態にかかるシャワー装置が設けられた部分の壁の内部を表している。
【００２１】
本実施形態にかかるシャワー装置１００は、内部に空間を有する筐体１０１と、使用者が吐水温度を調整可能な温調操作部１１０と、使用者が吐水流量などを調整可能な操作パネル１２０と、後述する導水配管部からの湯水を吐水する吐水部１３０と、を備える。筐体１０１の内部には、後に詳述する電磁弁などが設けられている。また、温調操作部１１０と、操作パネル１２０と、吐水部１３０と、の少なくとも一部は、図１に表したように浴室の壁面１０から前側に露出している。言い換えれば、温調操作部１１０、操作パネル１２０、および吐水部１３０以外のシャワー装置１００の部分は、浴室の壁面１０の後側（裏側）に設けられている。
【００２２】
吐水部１３０は、壁面１０から前側に露出しているため、壁面１０の前側に吐水できる。つまり、使用者は、壁面１０の前に立ったり座ったりすることにより、吐水部１３０からの湯水をシャワーとして浴びることができる。なお、本願明細書において「水」という場合には、冷水のみならず、加熱されたお湯も含むものとする。そして、使用者は、温調操作部１１０を操作することにより、吐水部１３０から吐水される水の温度（吐水温度）を調整できる。また、使用者は、操作パネル１２０を操作することにより、吐水部１３０から吐水される水の流量（吐水流量）を調整できる。
【００２３】
また、使用者は、操作パネル１２０を操作することにより、吐水部１３０からの吐水箇所を制御することもできる。例えば、使用者は、図１および図２に表した上段の吐水部１３０を止水し、中段および下段の吐水部１３０から吐水させることができる。これにより、成人男性よりも背の低い子供や女性、あるいは座った状態で使用する使用者などは、上段の吐水部１３０からの水が不本意に顔にかかることを防止できる。なお、本実施形態では、６つの吐水部１３０が設けられた場合を例に挙げて説明するが、吐水部１３０の設置数は、これだけに限定されない。
【００２４】
さらに、図１および図２に表した浴室の壁面１０には、ヘッドシャワー３１０と、ハンドシャワー３２０と、が取り付けられている。ヘッドシャワー３１０は、図２に表したように、ヘッドシャワー接続部１７５および導水配管部３８０を介してシャワー装置１００に接続されており、シャワー装置１００の前にいる使用者の頭上から吐水できる。一方、ハンドシャワー３２０は、図２に表したように、ハンドシャワー接続部１７７および導水配管部３９０を介してシャワー装置１００に接続されている。そして、使用者は、そのハンドシャワー３２０を手に持ち移動させることにより、任意の場所に吐水させることができる。また、シャワー装置１００は、下端部に設けられた給湯接続部１７１を介して給湯源に接続されており、その給湯源から加熱された湯が供給される。これと同様に、シャワー装置１００は、下端部に設けられた給水接続部１７２を介して給水源に接続されており、その給水源から水が供給される。これらについては、後に詳述する。但し、本発明においては、ヘッドシャワー３１０と、ハンドシャワー３２０と、は必ずしも設けられていなくともよい。
【００２５】
このように、本実施形態にかかるシャワー装置１００では、給湯接続部１７１、給水接続部１７２、ヘッドシャワー接続部１７５、およびハンドシャワー接続部１７７を現場において接続することにより、設備配管の接続が完了する。すなわち、筐体１０１内の配管の接続については、出荷前の工場において接続を完了できる。そのため、筐体１０１内の配管における漏水や接続の間違いなどを出荷前の工場において確認することが可能となり、シャワー装置１００の信頼性および施工性を向上させることができる。
【００２６】
図３は、本実施形態にかかるシャワー装置の一部を切断して内部を眺めた斜視模式図である。  
また、図４は、本実施形態の操作パネルを取り外した状態を表す斜視模式図である。
【００２７】
図３に表したように、筐体１０１の内部には、吐水部１３０、ヘッドシャワー３１０、およびハンドシャワー３２０への水の供給を開閉する電磁弁ユニット１４０と、電磁弁ユニット１４０および操作パネル１２０の少なくともいずれかに電力を供給する電源部１９０と、が設けられている。電磁弁ユニット１４０は、操作パネル１２０の後側（裏側）に設けられている。また、電源部１９０は、電磁弁ユニット１４０の側方に設けられている。
【００２８】
操作パネル１２０を取り外すと、図４に表したように、その操作パネル１２０の後側の筐体１０１には、点検口（点検用開口）１０３が設けられている。この点検口１０３を通して、シャワー装置１００の筐体１０１の内部と外部とは連通している。そして、電磁弁ユニット１４０は、操作パネル１２０の後側、すなわち点検口１０３の後側に設けられているため、例えば作業者などは、筐体１０１の外部から点検口１０３を通して、筐体１０１の内部に設けられた電磁弁ユニット１４０を見ることができる。
【００２９】
そのため、後に詳述するように、その点検口１０３から電磁弁ユニット１４０のメンテナンス作業を行うことができる。さらに、その点検口１０３から電磁弁ユニット１４０や電源部１９０を取り外したり、取り付けたりすることができる。したがって、作業者などは、電磁弁ユニット１４０などを筐体１０１の外部に取り外した状態で、その電磁弁ユニット１４０などのメンテナンス作業を行うことができる。
【００３０】
このように、操作パネル１２０は、点検口１０３の開口を掩蔽（えんぺい）しており、点検口１０３の蓋としての機能を有する。そのため、点検口１０３の開口を掩蔽するための蓋やカバーは、設けられていない。そのため、操作パネル１２０が、点検口１０３の部分に取り付けられた状態では、点検口１０３は、シャワー装置１００（筐体１０１）の外部には露出していない。すなわち、操作パネル１２０が取り付けられた状態では、筐体１０１の外部から点検口１０３を見ることはできない。
【００３１】
そのため、シャワー装置１００には点検口１０３が設けられているが、その点検口１０３によりシャワー装置１００の意匠性が低下することはない。また、点検口１０３には、開口を掩蔽するための蓋やカバーなどは取り付けられていないため、その蓋やカバーなどによりシャワー装置１００の意匠性が低下することはない。そして、操作パネル１２０を取り外すことにより、点検口１０３から電磁弁ユニット１４０のメンテナンス作業を行うことができるため、浴室の壁面１０に点検用の開口を設ける必要はない。そのため、浴室の意匠性が低下することもない。したがって、本実施形態にかかるシャワー装置１００は、意匠性を低下させることなく、電磁弁ユニット１４０などのメンテナンス作業を点検口１０３から行うことができる。
【００３２】
なお、点検口１０３の周縁部には、突壁１０５が設けられている。この突壁１０５は、例えば非吸水性を有する樹脂などから形成されている。そのため、突壁１０５は、点検口１０３から筐体１０１内への漏水を防止できる。また、電磁弁ユニット１４０の下側には、受け皿１５１が設けられている。この受け皿１５１は、電磁弁ユニット１４０から漏水した場合であっても、その漏水した水を受けて建築側に排水できる。これにより、電磁弁ユニット１４０からの漏水を確認することができ、また筐体１０１内に設置された部品などに水がかかることを抑制することができる。
【００３３】
次に、本実施形態にかかるシャワー装置１００の具体的な構造や効果について、図面を参照しつつ説明する。  
図５は、本実施形態にかかるシャワー装置を表す斜視模式図である。  
なお、図５においては、操作パネル１２０が有する操作パネルカバー１２１（図３参照）を省略している。
【００３４】
本実施形態にかかるシャワー装置１００は、図１および図２に関して前述したように、筐体１０１を備える。この筐体１０１は、浴室の壁面１０側に設けられた筐体前部１０１ａと、その筐体前部１０１ａの後側に設けられた筐体後部１０１ｂと、を有する。そして、筐体前部１０１ａと、筐体後部１０１ｂと、の間には、電磁弁ユニット１４０や電源部１９０などが内蔵される空間が形成されている。
【００３５】
筐体前部１０１ａは、例えば発泡スチロールなどの発泡材から形成されている。そのため、筐体前部１０１ａは、シャワー装置１００から発生する音が外部に漏れることを防いだり（防音）、筐体１０１内の湯水を温度を保持したり（保温）、シャワー装置１００に結露が生ずることを防止することができる。一方、筐体後部１０１ｂは、金属あるいは樹脂などから形成されている。なお、作業者などは、筐体前部１０１ａを図５に表した矢印Ｄの方向に取り外すことにより、設備配管を接続した後の通水確認時に、筐体１０１内の配管における漏水を確認できる。
【００３６】
筐体１０１の左右側方には、取付部材１０７が付設されている。取付部材１０７は、例えば板状の金属から形成されており、ねじやボルトなどを通すことができる挿通孔１０７ａを有する。そして、この挿通孔１０７ａからねじやボルトなどの固定部材４０１を通し、建築壁などにその固定部材４０１を締結することにより、シャワー装置１００を浴室の壁面１０の裏側に固定することができる。
【００３７】
また、筐体前部１０１ａの外面には、吐水部１３０が取り付けられる開口部１０２が設けられている。シャワー装置１００を浴室の壁面１０の裏側に取り付ける際には、まず、吐水部１３０を筐体１０１から取り外す。そして、開口部１０２の位置を確認できるように、吐水部１３０の代替部材（図示せず）を開口部１０２の部分に取り付ける。この状態で、シャワー装置１００を浴室の建築壁などに固定する。続いて、吐水部１３０の代替部材（図示せず）の位置に合わせて、浴室の壁面１０に設けられた開口を配置し、その壁面１０を固定する。その後、代替部材を取り外し、吐水部１３０を開口部１０２を通してシャワー装置１００に取り付ける。つまり、筐体前部１０１ａと、吐水部１３０の前面と、の間には、浴室の壁面１０が配置される。
【００３８】
これと同様に、操作パネル１２０および温調操作部１１０についても、まずは、操作パネル１２０および温調操作部１１０がシャワー装置１００から取り外された状態で、そのシャワー装置１００は、浴室の建築壁などに固定される。そして、浴室の壁面１０が配置され固定された後に、操作パネル１２０および温調操作部１１０は、シャワー装置１００に取り付けられる。そのため、筐体前部１０１ａと、操作パネル１２０および温調操作部１１０の前面と、の間には、浴室の壁面１０が配置される。なお、筐体前部１０１ａの前面には、複数の凹部が設けられている。この凹部により、壁面１０は、筐体前部１０１ａに引っ掛かりやすく、配置されやすい。
【００３９】
図６は、本実施形態にかかるシャワー装置を表す平面模式図である。  
図７は、本実施形態にかかるシャワー装置の構成を例示するブロック図である。  
なお、図６（ａ）は、本実施形態にかかるシャワー装置を前側から眺めた前面模式図であり、図６（ｂ）は、本実施形態にかかるシャワー装置を後側から眺めた後面模式図である。また、図６（ｂ）においては、筐体後部１０１ｂを省略している。
【００４０】
図６および図７に表したように、まず、給湯源からの加熱された湯は、給湯接続部１７１を介して導水配管部１８１の内部に導かれ、サーモ１１５に供給される。一方、給水源からの水は、給水接続部１７２を介して導水配管部１８２の内部に導かれ、サーモ１１５に供給される。そして、サーモ１１５は、使用者からの温調操作部１１０の操作に基づいて加熱された湯と水とを混合し、その混合水を設定温度に保持する。なお、サーモ１１５は、温調操作部１１０に対して機械的に接続されていてもよいし、電気的に接続されていてもよい。
【００４１】
続いて、サーモ１１５からの水は、導水配管部１８３により導かれ、電磁弁ユニット１４０に供給される。電磁弁ユニット１４０は、導水配管部１８４により導かれる水の温度を検知する温度センサ（機能部品）１４１と、吐水部１３０などからの吐水流量を調整する流調弁（機能部品）１４３と、吐水部１３０などへの水の給水を開閉する電磁弁１４４と、を有する。
【００４２】
ここで、操作パネル１２０は、制御基板１２７（図３参照）を有する。制御基板１２７は、使用者からの吐水流量や吐水箇所などに関する操作内容に基づいて、電磁弁１４４および流調弁１４３に制御信号を送信する。そして、その制御信号に基づいて、電磁弁１４４および流調弁１４３は動作する。つまり、制御基板１２７は、電磁弁１４４および流調弁１４３に制御信号を送信することにより、電磁弁１４４および流調弁１４３の動作を制御できる。なお、流調弁１４３の動作は、隣接して設けられたモータ１４２により行われる。
【００４３】
温度センサ１４１および流調弁１４３は、導水配管部１８４の途上に設置されている。また、電磁弁１４４は、吐水部１３０、ヘッドシャワー３１０、およびハンドシャワー３２０へ水を導く導水配管部１８５、１８６、１８７、１８８の途上にそれぞれ設置されている。そして、使用者からの操作パネル１２０の操作に基づいて、導水配管部１８５の途上に設置された電磁弁１４４が開放されると、導水配管部１８５により導かれた水は、ヘッドシャワー接続部１７５および導水配管部３８０を介してヘッドシャワー３１０から吐水される。これと同様にして、導水配管部１８６の途上に設置された電磁弁１４４が開放されると、導水配管部１８６により導かれた水は、上段の吐水部１３０から吐水される。また、導水配管部１８７の途上に設置された電磁弁１４４が開放されると、導水配管部１８７により導かれた水は、ハンドシャワー接続部１７７および導水配管部３９０を介してハンドシャワー３２０から吐水される。また、導水配管部１８８の途上に設置された電磁弁１４４が開放されると、導水配管部１８８により導かれた水は、中段および下段の吐水部１３０から吐水される。
【００４４】
また、電磁弁ユニット１４０は、締結部材４１０により導水配管部１８３に接続されており、締結部材４２０により導水配管部１８５、１８６、１８７、１８８にそれぞれ接続されている。なお、締結部材４１０、４２０は、いわゆる「ジョイントクリップ」などと呼ばれる継手である。つまり、電磁弁ユニット１４０が締結部材４２０により導水配管部１８５、１８６、１８７、１８８にそれぞれ接続されることにより、電磁弁１４４は、導水配管部１８５、１８６、１８７、１８８の途上にそれぞれ配置される。一方、電磁弁ユニット１４０が締結部材４１０により導水配管部１８３に接続されることにより、導水配管部１８３と、導水配管部１８４と、は締結部材４１０を介して接続される。そして、作業者などは、締結部材４１０、４２０を取り外すことにより、電磁弁ユニット１４０を点検口１０３から取り外すことができる。次に、この電磁弁ユニット１４０の取り外しについて、図面を参照しつつ説明する。
【００４５】
図８は、本実施形態の操作パネルを拡大して眺めた斜視模式図である。  
また、図９は、本実施形態の点検口から電磁弁ユニットを眺めた平面模式図である。  
また、図１０は、本実施形態の点検口から電磁弁ユニットを取り出す状態を表す斜視模式図である。  
なお、図８においては、操作パネル１２０が有する操作パネルカバー１２１（図３参照）を省略している。また、図１０においては、説明の便宜上、シャワー装置１００の上部を切断して表している。
【００４６】
操作パネル１２０が有する操作パネルカバー１２１（図３参照）を適宜取り外すと、図８に表したように、ねじやボルトなどの固定部材４０３を前側から見ることができる。操作パネル１２０は、この固定部材４０３により固定されている。そのため、この固定部材４０３を取り外すと、操作パネル１２０を筐体１０１から取り外すことができる。そして、操作パネル１２０を筐体１０１から外すと、図４に関して前述したように、その操作パネル１２０の後側の筐体１０１には、点検口１０３が設けられている。
【００４７】
点検口１０３をシャワー装置１００の前側から平面視すると、図９に表したように、点検口１０３から電磁弁ユニット１４０を見ることができる。電磁弁ユニット１４０は、図６および図７に関して前述したように、締結部材４１０により導水配管部１８３に接続されており、締結部材４２０により導水配管部１８５、１８６、１８７、１８８にそれぞれ接続されている。
【００４８】
そして、導水配管部１８３、１８５、１８６、１８７、１８８は、略同一方向に設けられている。より具体的には、本実施形態にかかるシャワー装置１００では、導水配管部１８３、１８５、１８６、１８７、１８８は、略水平方向に設けられている。そのため、締結部材４１０、４２０を取り外し、図９に表した矢印Ａの方向に電磁弁ユニット１４０を移動させることにより、電磁弁ユニット１４０を導水配管部１８３、１８５、１８６、１８７、１８８から取り外すことができる。そして、例えば図１０に表したように、電磁弁ユニット１４０を斜めに向けつつ移動させることにより、点検口１０３から筐体１０１の外部に電磁弁ユニット１４０を取り出すことができる。一方、電磁弁ユニット１４０を導水配管部１８３、１８５、１８６、１８７、１８８に接続する場合には、図９に表した矢印Ａとは反対方向に電磁弁ユニット１４０を移動させることにより取り付けることができる。
【００４９】
そのため、本実施形態にかかるシャワー装置１００によれば、電磁弁ユニット１４０を筐体１０１の外部に取り外した状態で、電磁弁ユニット１４０が有する電磁弁１４４などのメンテナンス作業を行うことができる。また、図８に表したように、操作パネル１２０が取り付けられた状態では、筐体１０１の外部から点検口１０３を見ることはできない。つまり、操作パネル１２０は、点検口１０３の開口を掩蔽しており、点検口１０３の蓋としての機能を有する。そのため、シャワー装置１００には点検口１０３が設けられているが、その点検口１０３によりシャワー装置１００の意匠性が低下することはない。したがって、本実施形態にかかるシャワー装置１００によれば、意匠性を低下させることなく、電磁弁ユニット１４０が有する電磁弁１４４などのメンテナンス作業を点検口１０３から行うことができる。
【００５０】
なお、締結部材４２０には、図９に表したように、紐４３０が取り付けられている。紐４３０の材質は、特に限定されるわけではないが、絶縁性を有する布やゴムであることがより好ましい。そして、導水配管部１８５、１８６、１８７、１８８と、電磁弁ユニット１４０と、をそれぞれ締結する締結部材４２０は、１つの紐４３０に対して数珠状に連結されている。
【００５１】
一方、点検口１０３の四隅には、連結部材１０４が設けられている。この連結部材１０４は、操作パネル１２０を固定する固定部材４０３が締結される挿通孔１０４ａを有する。そして、紐４３０は、点検口１０３の四隅に設けられた連結部材１０４の少なくともいずれかに取り付けられている。これによれば、締結部材４２０が筐体１０１の内部に落下し、その締結部材４２０を取り出せなくなることを防止できる。すなわち、例えば、作業者などは、締結部材４２０を筐体１０１の内部に落下させた場合であっても、紐４３０を引くことで、その締結部材４２０を取り出すことができる。
【００５２】
図１１は、本実施形態の点検口から筐体の内部を拡大して眺めた斜視模式図である。  
また、図１２は、本実施形態の締結部材４１０を表す平面模式図である。
【００５３】
図６および図７に関して前述したように、導水配管部１８３と、電磁弁ユニット１４０の導水配管部１８４と、は締結部材４１０により接続され締結されている。締結部材４１０は、図１２に表したように、導水配管部１８３、１８４に対して着脱自在に係合される係止部４１１と、係止部４１１から突出した取手部４１３と、を有する。
【００５４】
係止部４１１は、取手部４１３に接続された基端部４１１ａと、基端部４１１ａから図１２における左右側方に互いに開くように形成された先端部４１１ｂ、４１１ｃと、を有する。係止部４１１は、弾性を有する金属あるいは樹脂などから形成されている。そのため、先端部４１１ｂは、図１２に表した矢印Ｂの方向に弾性変形できる。一方、先端部４１１ｃは、図１２に表した矢印Ｃの方向に弾性変形できる。
【００５５】
取手部４１３は、係止部４１１の先端部４１１ｂ、４１１ｃが弾性変形する方向と略直交する方向に突出している。すなわち、締結部材４１０が導水配管部１８３、１８４に装着された状態において、取手部４１３は、図１１に表したように、点検口１０３から筐体１０１の外部に向かう方向に突出している。
【００５６】
これによれば、作業者などは、締結部材４１０の取手部４１３を掴み、その取手部４１３を筐体１０１の外部に向かう方向に引くことにより、締結部材４１０を容易に取り外すことができる。すなわち、例えば、電磁弁ユニット１４０や電源部１９０などが密集し、締結部材４１０の係止部４１１に手が届きにくい場合であっても、作業者などは、取手部４１３を引くことにより、その締結部材４１０を容易に取り外すことができる。そのため、電磁弁ユニット１４０を点検口１０３からより容易に取り外すことができる。なお、導水配管部１８５、１８６、１８７、１８８と、電磁弁ユニット１４０と、を接続し締結する締結部材４２０は、締結部材４１０と同様に、取手部を有していてもよい。
【００５７】
図１３は、本実施形態にかかるシャワー装置を後側から眺めた斜視模式図である。  
なお、図１３においては、説明の便宜上、筐体後部１０１ｂを省略している。
【００５８】
図１３に表したように、電源部１９０は、電磁弁ユニット１４０の右側に設置されている。この電源部１９０は、電磁弁ユニット１４０および操作パネル１２０の少なくともいずれかに電力を供給する。そして、電源部１９０は、電磁弁ユニット１４０と同様に、メンテナンス作業を必要とされる場合がある。
【００５９】
そこで、本実施形態にかかるシャワー装置１００では、前述した方法で電磁弁ユニット１４０を点検口１０３から取り出すことにより、筐体１０１の外部から点検口１０３を通して、電源部１９０を見ることができる（図１０参照）。そして、電源部１９０を固定する固定部材４０５を取り外すことにより、その電源部１９０を点検口１０３から取り出すことができる。したがって、作業者などは、電源部１９０を筐体１０１の外部に取り外した状態で、その電源部１９０のメンテナンス作業を行うことができる。
【００６０】
なお、電源部１９０を筐体１０１の内部に固定する場合には、電磁弁ユニット１４０を筐体１０１の内部に取り付ける前に、電源部１９０を点検口１０３から挿入し固定部材４０５を適宜締結することにより、電源部１９０を筐体１０１の内部に取り付けることができる。
【００６１】
図１４は、本実施形態の操作パネル近傍を切断して筐体の内部を眺めた斜視模式図である。  
また、図１５は、本実施形態の操作パネルを後側から眺めた斜視模式図である。
【００６２】
操作パネル１２０の後面（裏面）には、図１４および図１５に表したように、水密部材１２３、１２５が付設されている。水密部材１２３、１２５は、例えば、弾性を有するゴムやスポンジなどから形成されるパッキンなどである。そして、水密部材１２３と、水密部材１２５と、の間の隙間に突壁１０５が挿入されるように、操作パネル１２０は点検口１０３に対して取り付けられている。
【００６３】
操作パネル１２０の前面、すなわち操作パネルカバー１２１と、筐体前部１０１ａと、の間には、図１４に表したように、浴室の壁面１０が配置される。そして、浴室の壁面１０と、操作パネル１２０と、の間においては、水密部材１２３により水密性が確保されている。さらに、突壁１０５と、操作パネル１２０と、の間においては、水密部材１２５により水密性が確保されている。すなわち、操作パネル１２０は、水密部材１２３および水密部材１２５により点検口１０３に対して水密的に取り付けられている。
【００６４】
これにより、浴室の壁面１０と、操作パネル１２０と、の間の隙間から点検口１０３を通して筐体１０１の内部に水が侵入することを防止できる。さらに、突壁１０５と、操作パネル１２０と、の間の隙間から点検口１０３を通して筐体１０１の内部に水が侵入することを防止できる。
【００６５】
また、操作パネル１２０は、その後部に制御基板１２７を有する。この制御基板１２７は、図６および図７に関して前述したように、使用者からの操作パネル１２０の操作内容に基づいて、電磁弁１４４および流調弁１４３に制御信号を送信し、電磁弁１４４および流調弁１４３の動作を制御できる。そして、制御基板１２７の周囲には、制御基板１２７を覆うように保護部材１２９が設けられている。
【００６６】
保護部材１２９は、制御基板１２７が導水配管部１８５、１８６、１８７、１８８などに接触しないように保護することができる。また、導水配管部１８５、１８６、１８７、１８８などの表面が結露した場合であっても、保護部材１２９は、その結露した水が制御基板１２７に付着することを防止できる。これによれば、保護部材１２９は、制御基板１２７が短絡することを防止できる。
【００６７】
以上説明したように、本実施形態によれば、操作パネル１２０が取り付けられた状態では、筐体１０１の外部から点検口１０３を見ることはできない。つまり、操作パネル１２０は、点検口１０３の開口を掩蔽しており、点検口１０３の蓋としての機能を有する。そのため、シャワー装置１００および浴室の意匠性を低下させることなく、点検口１０３を設けることができる。そして、電磁弁ユニット１４０が有する電磁弁１４４などのメンテナンス作業を点検口１０３から行うことができる。
【００６８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、筐体１０１や操作パネル１２０などが備える各要素の形状、寸法、材質、配置などや吐水部１３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６９】
１０ 壁面、  １００ シャワー装置、  １０１ 筐体、  １０１ａ 筐体前部、  １０１ｂ 筐体後部、  １０２ 開口部、  １０３ 点検口、  １０４ 連結部材、  １０４ａ 挿通孔、  １０５ 突壁、  １０７ 取付部材、  １０７ａ 挿通孔、  １１０ 温調操作部、  １１５ サーモ、  １２０ 操作パネル、  １２１ 操作パネルカバー、  １２３、１２５ 水密部材、  １２７ 制御基板、  １２９ 保護部材、  １３０ 吐水部、  １４０ 電磁弁ユニット、  １４１ 温度センサ、  １４２ モータ、  １４３ 流調弁、  １４４ 電磁弁、  １７１ 給湯接続部、  １７２ 給水接続部、  １７５ ヘッドシャワー接続部、  １７７ ハンドシャワー接続部、  １８１、１８２、１８３、１８４、１８５、１８６、１８７、１８８ 導水配管部、  １９０ 電源部、  ３１０ ヘッドシャワー、  ３２０ ハンドシャワー、  ３８０、３９０ 導水配管部、  ４０１、４０３、４０５ 固定部材、  ４１０ 締結部材、  ４１１ 係止部、  ４１１ａ 基端部、  ４１１ｂ、４１１ｃ 先端部、  ４１３ 取手部、  ４２０ 締結部材、  ４３０ 紐
【図１】
2010172506.tif 000003
【図２】
2010172506.tif 000004
【図３】
2010172506.tif 000005
【図４】
2010172506.tif 000006
【図５】
2010172506.tif 000007
【図６】
2010172506.tif 000008
【図７】
2010172506.tif 000009
【図８】
2010172506.tif 000010
【図９】
2010172506.tif 000011
【図１０】
2010172506.tif 000012
【図１１】
2010172506.tif 000013
【図１２】
2010172506.tif 000014
【図１３】
2010172506.tif 000015
【図１４】
2010172506.tif 000016
【図１５】
2010172506.tif 000017